(57)【特許請求の範囲】
【請求項１】
閃光を発する光源と、
前記光源から発せられた閃光を照射対象に向けて反射させる反射部とを備える発光部と、
前記光源で発した閃光を透過させる閃光透過部を有し、前記閃光透過部に前記光源を向き合わせるように前記発光部を収納するケーシングと、
前記発光部を前記ケーシング内で前記閃光透過部に接離する方向に往復動させる駆動部と、を備え、
前記発光部の前記反射部は、前記閃光透過部に向けられた反射傘と、照射対象に向ける閃光の照射角を変更できるように前記反射傘に隣り合って揺動可能に配置された一対の側方反射板とを備え、
前記一対の側方反射板は、前記発光部の往復動に連動して揺動することにより、開口角度を変更可能な構成を有するストロボ装置であって
前記発光部は、前記光源を保持するホルダーと、
前記反射傘を保持するとともに、前記一対の側方反射板を軸支するフレームとを、さらに
備え、
前記ホルダーと前記フレームは前記反射傘から照射対象に向けられた光軸を対称軸にして前記一対の側方反射板が前記ホルダーの移動によって揺動する構成を有し
前記ケーシングは、凹部および凸部を有するカム面をさらに備え、
前記ホルダーは、前記カム面に接触する従動部を備え、前記ホルダーの前記従動部が前記ケーシングの前記カム面に沿って移動することにより、前記ホルダーが傾動する構成を有するストロボ装置。
【請求項２】
閃光を発する光源と、
前記光源から発せられた閃光を照射対象に向けて反射させる反射部とを備える発光部と、
前記光源で発した閃光を透過させる閃光透過部を有し、前記閃光透過部に前記光源を向き合わせるように前記発光部を収納するケーシングと、
前記発光部を前記ケーシング内で前記閃光透過部に接離する方向に往復動させる駆動部と、を備え、
前記発光部の前記反射部は、前記閃光透過部に向けられた反射傘と、
照射対象に向ける閃光の照射角を変更できるように前記反射傘に隣り合って揺動可能に配置された一対の側方反射板とを備え、
前記一対の側方反射板は、前記発光部の往復動に連動して揺動することにより、開口角度を変更可能な構成を有するストロボ装置であって
前記発光部は、前記光源を保持するホルダーと、
前記反射傘を保持するとともに、前記一対の側方反射板を軸支するフレームとを、さらに
備え、
前記ホルダーと前記フレームは、前記反射傘から照射対象に向けられた光軸を対称軸にして前記一対の側方反射板が前記ホルダーの移動によって揺動する構成を有し
前記ホルダーは、前記一対の側方反射板に向けて突出した押圧部を備え、
前記一対の側方反射板は、閃光を反射する反射部材と、前記反射部材に突設された前記ホルダーの前記押圧部に押される当接部とを備え
前記ケーシングは、凹部および凸部を有するカム面を備え、
前記ホルダーは、前記カム面に接触する従動部をさらに備え、前記ホルダーの前記従動部が前記ケーシングの前記カム面に沿って移動することにより、前記ホルダーが傾動する構成を有するストロボ装置。
【請求項３】
前記発光部は、
前記ホルダーと前記フレームとの間に介在し、前記ホルダーを仰向き姿勢とする付勢部材を、さらに備え、
前記ホルダーは、前記従動部が前記ケーシングの前記カム面に沿って前記ケーシングの前記閃光通過部の側に移動することにより、俯き姿勢になる構成を有する請求項１または請求項２のいずれか1項に記載のストロボ装置。
【請求項４】
前記発光部は、前記一対の側方反射板と前記フレームとの間に介在し、前記一対の側方反射板の前記開口角度を広く保持する弾性部材を、さらに備え、
前記一対の側方反射板の前記開口角度は、前記発光部が前記ケーシングの前記閃光通過部の反対側に移動することにより、狭くなるように構成されている請求項１または請求項２のいずれか１項に記載のストロボ装置。
【請求項５】
前記ケーシングは、前記閃光透過部に向かって内側に広がる壁面を有するカム面を備え、
前記発光部は、前記光源を保持するホルダーと、回動支持部を有する前記一対の側方反射板を軸支するフレームを備え、
前記ホルダーは、前記回動支持部を回動自在に連結する従動部を、さらに備え、
前記ホルダーの前記従動部が、前記ケーシングの前記カム面の前記壁面に沿って移動することにより、前記回動支持部を介して前記一対の側方反射板が揺動する構成を有する請求項１または請求項２のいずれか１項に記載のストロボ装置。
【発明の詳細な説明】
【技術分野】
【０００１】
本発明は、被写体などの照射対象に向けて閃光を発する光源などを備えたストロボ装置に関する。詳しくは、照射対象に対する閃光の照射角を可変としたストロボ装置に関する。
【背景技術】
【０００２】
ストロボ装置は、一般的に、閃光を発するキセノン（Ｘｅ）放電管のような棒状の光源と、光源から発せられた閃光を被写体などの照射対象に向けて反射させる樋状の反射傘とを備えている。また、ズーム機能を備えたカメラ用のストロボ装置は、照射対象に対する閃光の照射角を変更できる構成を、さらに備えている（例えば、特許文献１および特許文献２参照）。
【０００３】
具体的には、特許文献１に記載されたストロボ装置は、反射傘の両端から前方に向けられた一対の側方反射板と、光源を反射傘内で光軸方向に移動させる駆動部とを、備えている。上記ストロボ装置は、望遠撮影を行うテレ側において、光源を反射傘の底側に近づける。同時に、一対の側方反射板の開口角度を広くする。これにより、ストロボ装置の光源から発する、照射対象に対する閃光の照射角を小さくしている。一方、広角撮影を行うワイド時においては、光源を反射傘の開口側の位置に移動させる。同時に、一対の側方反射板の開口角度を狭くする。これにより、ストロボ装置の光源から発する、照射対象に対する閃光の照射角を大きくしている。
【０００４】
また、特許文献２に記載されたストロボ装置は、光源を保持する光源保持部材と、光源保持部材に保持された光源を反射傘内で往復動させるウォームギヤとを、備えている。上記ストロボ装置は、光源を反射傘の開口側に移動させて、照射角を大きくすることにより、広角レンズの画角に適する照射状態を実現している。一方、光源を反射傘の奥側に移動させて、照射角を小さくすることにより、望遠レンズの画角に適する照射状態を実現している。
【０００５】
つまり、特許文献１のストロボ装置は、まず、一対の側方反射板の開口角度を変更する。そして、光源を反射傘内で移動させて照射角を変更するだけである。そのため、光源および反射傘を一体的に光軸方向に移動させる構成ではない。
【０００６】
また、特許文献２のストロボ装置は、一対の側方反射板を備えていない。
【０００７】
したがって、上記いずれのストロボ装置も、例えば「光源および反射傘を一体的に移動できない」、「側方反射板が固定」などの光学設計条件が限定されるという課題がある。
【０００８】
さらに、特許文献２のストロボ装置は、光源を光軸方向に移動させるウォームギヤを、反射傘の奥側から光軸方向に突出するように配備している。そのため、ストロボ装置が大型化し、近年、要望されるストロボ装置の小型化を実現できないという課題があった。
【先行技術文献】
【特許文献】
【０００９】
【特許文献１】特開平１０−６２８４５号公報
【特許文献２】特開平９−３１８９９６号公報
【発明の概要】
【００１０】
本発明は、光学設計条件を限定することなく、小型化が図れるとともに、光源から発せられた閃光の照射角を可変にできるストロボ装置を提供する。
【００１１】
つまり、本発明のストロボ装置は、閃光を発する光源と、光源から発せられた閃光を照射対象に向けて反射させる反射部とを備える発光部と、光源で発した閃光を透過させる閃光透過部を有し、閃光透過部に光源を向き合わせるように発光部を収納するケーシングと、発光部をケーシング内で閃光透過部に接離する方向に往復動させる駆動部とを備える。発光部の反射部は、閃光透過部に向けられた反射傘と、照射対象に向ける閃光の照射角を変更できるように反射傘に隣り合って揺動可能に配置された一対の側方反射板とを備える。そして、一対の側方反射板は、発光部の往復動に連動して揺動することにより、開口角度を変更可能な構成を有している。
【００１２】
この構成によれば、光源から発せられた閃光は、反射部、すなわち、反射傘と一対の側方反射板とで反射する。そして、反射部で反射した閃光は、ケーシングの閃光透過部を透過して照射対象を照射する。このとき、反射部を構成する一対の側方反射板は、ケーシング内で、発光部の往復動に連動して揺動する、これにより、一対の側方反射板の開口角度が変更される。その結果、照射対象に向けて反射する閃光の照射角を変更することができる。
【００１３】
具体的には、発光部がケーシングの背面側（閃光透過部と反対側）に位置している場合、発光部の移動に連動して一対の側方反射板が揺動し、一対の側方反射板の開口角度が広くなる。これにより、光源から発した閃光は、望遠撮影に適した狭い照射角で照射できる開口角度となった一対の側方反射板で反射する。一方、発光部がケーシングの閃光透過部側に位置している場合、発光部の移動に連動して一対の側方反射板が揺動し、一対の側方反射板の開口角度が狭くなる。これにより、光源から発した閃光は、広角撮影に適した狭い照射角で照射できる開口角度となった一対の側方反射板で反射する。
【００１４】
その結果、光学設計条件を限定することなく、小型化が図れるとともに、光源から発せられた閃光の照射角を可変にできるストロボ装置を実現できる。
【図面の簡単な説明】
【００１５】
【図１】図１は、本発明の実施の形態に係るストロボ装置であって、発光部が背面側に位置したときの正面側から見た状態を示す概略斜視図である。
【図２】図２は、本発明の実施の形態に係るストロボ装置であって、発光部が背面側に位置したときの背面側から見た状態を示す概略斜視図である。
【図３】図３は、本発明の実施の形態に係るストロボ装置であって、ケーシングを外して背面側から見た状態を示す概略斜視図である。
【図４】図４は、本発明の実施の形態に係るストロボ装置であって、発光部が背面側に位置したときを示す図５の４−４線断面図である。
【図５】図５は、本発明の実施の形態に係るストロボ装置であって、発光部が背面側に位置したときを示す図４の５−５線断面図である。
【図６】図６は、本発明の実施の形態に係るストロボ装置であって、発光部が正面側に位置したときの正面側から見た状態を示す概略斜視図である。
【図７】図７は、本発明の実施の形態に係るストロボ装置であって、発光部が正面側に位置したときを示す図８の７−７線断面図である。
【図８】図８は、本発明の実施の形態に係るストロボ装置であって、発光部が正面側に位置したときを示す図７の８−８線断面図である。
【図９Ａ】図９Ａは、本発明の実施の形態に係るストロボ装置の別の例であって、カム面の壁面に沿って、従動部が望遠撮影状態に移動した状態を模式的に説明する概略説明図である。
【図９Ｂ】図９Ｂは、同ストロボ装置の別の例であって、カム面の壁面に沿って、従動部が広角撮影状態に移動した状態を模式的に説明する概略説明図である。
【発明を実施するための形態】
【００１６】
以下に、本発明の実施の形態について、図面を参照しながら説明する。なお、この実施の形態によって本発明が限定されるものではない。
【００１７】
（実施の形態）
以下に、本発明の実施の形態のストロボ装置について、図１から図８を参照しながら説明する。
【００１８】
本実施の形態のストロボ装置は、少なくとも閃光を発する棒状の光源１０を有する発光部１と、発光部１を収納するケーシング２と、ケーシング２に固定された駆動部３などから構成されている。
【００１９】
なお、以下では、光源１０の軸方向をＸ方向、Ｘ方向と直交する方向をＹ方向、Ｘ方向およびＹ方向と直交する方向をＺ方向として説明する。例えば、図１などに示すように、Ｚ方向が鉛直方向に置かれた場合、Ｚ方向は上下方向、Ｘ方向は左右方向、Ｙ方向は前後方向となる。
【００２０】
ストロボ装置の発光部１は、図１および図２に示すように、少なくとも、例えばキセノン（Ｘｅ）放電管などの光源１０と、反射部１１と、光源１０を保持するホルダー１２と、反射部１１を保持するフレーム１４とを備えている。反射部１１は、光源１０から発せられた閃光を被写体などの照射対象の方向（以下、「正面側」と記す）へ向けて反射させる。
【００２１】
反射部１１は、図３〜図５、図７、図８に示すように、例えば樋状に成形された反射傘１１１と、反射傘１１１のＸ方向の両端に配置された一対の側方反射板１１２とを備えている。反射傘１１１は、照射対象と反対側（以下、「背面側」と記す）から光源１０を内包して配置され、光源１０から発した閃光を照射対象に向けて反射する。このとき、反射傘１１１と光源１０との間に、間隔を設けることが好ましい。また、Ｘ方向側の反射傘１１１の両端部は、開口して成形されている。
【００２２】
ホルダー１２は、図３に示すように、反射傘１１１の背面側に配置された本体部１２１と、本体部１２１のＸ方向の両端部を正面側（照射対象側）に折り曲げた光源保持部１２２とを備えている。光源保持部１２２には、貫通穴１２２ａが形成され、貫通穴１２２ａを光源１０の端部が貫通する。これにより、光源１０の両方の端部が、ホルダー１２の光源保持部１２２で保持される。
【００２３】
また、ホルダー１２の本体部１２１のＸ方向の中心部には、後述するケーシング２の底板部２２のカム面２２１に接触する、従動部１２３が一方（Ｚ方向の下方）に突出した状態で設けられている。
【００２４】
さらに、ホルダー１２の本体部１２１のＸ方向の中心部近傍の左右には、図５および図８に示す一対のホルダー軸受部１２４が設けられている。ホルダー軸受部１２４は、本体部１２１の一方の端縁（Ｚ方向の下端縁）から正面側（照射対象側）へ向かって突出した状態で設けられている。そして、一対のホルダー軸受部１２４の間に、ホルダー１２に形成された従動部１２３が配置して設けられる。さらに、ホルダー軸受部１２４には、ヒンジ用軸孔１２４ａがＸ方向に形成されている。
【００２５】
また、ホルダー１２の本体部１２１の両端部より内側で、かつ、ホルダー１２の光源保持部１２２の内面に沿って正面側に突出した状態で、突起状の押圧部１２５が設けられている。
【００２６】
また、フレーム１４は、図３、図５や図８に示すように、反射傘１１１の膨出側（樋状の底部側）を囲む基部１４１と、基部１４１の正面側の端縁に設けられた枠状の枠体部１４２とを備えている。さらに、基部１４１の両方の側端縁から、一対の支軸部１４３がＺ方向の上下に突出して設けられている。つまり、フレーム１４の基部１４１から二対の支軸部１４３が突出して設けられている。
【００２７】
また、図３に示すように、フレーム１４の基部１４１のＸ方向の両方の端部近傍で一対の支軸部１４３の内側には、一対のガイド部１４４が、一方（Ｚ方向の上向き）に突出して設けられている。一対のガイド部１４４には、ガイド部軸孔１４４ａがＹ方向に形成されている。同様に、フレーム１４の基部１４１のＸ方向の両方の下方端部近傍には、図５や図８に示す一対のフレーム軸受部１４５が他方（Ｙ方向の後方）に突出して設けられている。フレーム軸受部１４５には、ヒンジ用フレーム軸孔（図示せず）がＸ方向に形成されている。
【００２８】
そして、フレーム１４の一対のフレーム軸受部１４５は、ホルダー１２の一対のホルダー軸受部１２４を挟み込んで配置して形成される。さらに、ヒンジ用フレーム軸孔とヒンジ用軸孔１２４ａとに、ヒンジ用軸部材１５を挿通する。これにより、ホルダー１２とフレーム１４が連続する状態で一体化される。その結果、ホルダー１２は、ヒンジ用軸部材１５を揺動軸として、Ｚ方向に対して、仰向きの状態と俯きの状態とに傾動可能に構成される。この場合、図５や図８に示すように、ヒンジ用軸部材１５には、例えばトーションバネなどの付勢部材１９が取り付けられる。これにより、ホルダー１２は、図５に示すように、定常状態において、仰向きの状態になるように保持される。
【００２９】
さらに、フレーム１４の枠体部１４２の正面側には、光源１０から発せられた閃光を透過させる、例えばフレネルレンズなどのカバー１６が取り付けられている。
【００３０】
また、フレーム１４の枠体部１４２のＸ方向の両端部は、基部１４１のＸ方向の両端よりも突出するように設けられている。これにより、フレーム１４の枠体部１４２の端部と基部１４１の端部とが隣接する部位に、空間部が形成される。形成された空間部に、ホルダー１２の光源保持部１２２が配置して設けられる。さらに、形成された空間部に、フレーム１４の支軸部１４３が、Ｚ方向に突出した状態で配置される。なお、フレーム１４の支軸部１４３には、ネジ孔（図示せず）が、Ｚ方向に形成されている。
【００３１】
また、反射部１１を構成する一対の側方反射板１１２は、図３や図４に示すように、例えば板状の反射部材１１２ａと、反射板保持部１１２ｂと、当接部１１２ｃとを備えている。反射部材１１２ａは、フレーム１４の枠体部１４２の両方の端部の内側に配置される。反射板保持部１１２ｂは、反射部材１１２ａのＺ方向の両端に設けられている。当接部１１２ｃは、反射部材１１２ａのＹ方向の背面側端縁に設けられている。反射板保持部１１２ｂには、小孔（図示せず）がＺ方向に形成されている。
【００３２】
これにより、一対の側方反射板１１２の反射板保持部１１２ｂを、フレーム１４の支軸部１４３に重ね合わすことができる。このとき、重ね合わされた状態において、反射板保持部１１２ｂの小孔とフレーム１４の支軸部１４３に形成されたネジ孔とが連通する。そして、反射板保持部１１２ｂの小孔からフレーム１４の支軸部１４３のネジ孔にネジ部材１７を通す。これにより、ネジ部材１７を回転軸として、フレーム１４に対して、一対の側方反射板１１２が左右（Ｘ方向）に揺動可能に一体化される。その結果、一対の側方反射板１１２のＸ方向の開口角度を、任意に変更することができる。
【００３３】
また、反射板保持部１１２ｂには、反射部材１１２ａと反対方向に引掛け部（図示せず）が突出して設けられている。同様に、フレーム１４のガイド部１４４にも、引掛け部（図示せず）が突出して設けられている。そして、図３に示すように、反射部材１１２ａの引掛け部とガイド部１４４の引掛け部には、例えば引張バネなどの弾性部材１８が架け渡されている。これにより、一対の側方反射板１１２は、図４に示すように、定常状態において、Ｘ方向に開いた状態で保持される。つまり、定常状態において、一対の側方反射板１１２は、Ｘ方向に対して、開口角度が広く開いた状態で保持される。
【００３４】
また、図１や図２に示すように、ケーシング２は、一対の側板部２１と、底板部２２と、天板部２３と、背面部２４とから構成されている。底板部２２は、一対の側板部２１の一方の端縁（Ｚ方向の下縁）に架け渡された状態で設けられている。天板部２３は、一対の側板部２１の他方の端縁（Ｚ方向の上縁）に掛け渡された状態で設けられている、背面部２４は、一対の側板部２１、底板部２２および天板部２３で形成された背面側を部分的に塞ぐように設けられている。そして、ケーシング２の正面側は、開口した閃光透過部２５で構成され、光源１０から発せられた閃光がケーシング２の閃光透過部２５を透過する。
【００３５】
さらに、ケーシング２の天板部２３のＸ方向の中心線近傍の部位には、駆動部３をセットする窓穴部２３ａが設けられている。そして、上記構成を有するケーシング２内に、背面側の位置と正面側の位置との間を往復動できるように、発光部１が収納されている。
【００３６】
また、図２や図５に示すように、ケーシング２の底板部２２のＸ方向の中心で、背面側には、ホルダー１２の従動部１２３が接触するカム面２２１が形成されている。底板部２２に形成されたカム面２２１は、底板部２２の背面側で窪んだ凹部２２１ａと、底板部２２の中心部で天板部２３の方へ僅かに、例えば傾斜して膨らんだ凸部２２１ｂとが連続して、例えば直動カムのような形状で形成されている。
【００３７】
これにより、図５に示すように、発光部１が背面側に位置している場合、ホルダー１２の従動部１２３は、カム面２２１の凹部２２１ａの底面に接触する。その結果、ホルダー１２は、付勢部材１９の付勢力により、仰向き姿勢に維持される。一方、図８に示すように、発光部１が正面側（照射対象側）に位置に移動した場合、ホルダー１２の従動部１２３は、カム面２２１の凸部２２１ｂに接触し、ホルダー１２の下方の移動が止められる。このとき、ホルダー１２の上方部分は、付勢部材１９の付勢力に抗って、前方に回動しながら移動する。その結果、ホルダー１２は、前方に俯き姿勢となる。
【００３８】
また、ケーシング２の天板部２３には、図３に示す一対のガイド軸部材２６がＹ方向に取り付けられている。一対のガイド軸部材２６は、フレーム１４のガイド部１４４に形成されたガイド部軸孔１４４ａに挿通される。これにより、フレーム１４を含む発光部１は、一対のガイド軸部材２６に規制されながら、以下で説明する駆動部３によってＹ方向に往復動することができる。
【００３９】
また、図１から図３に示すように、駆動部３は、モータ３１と、送りネジ３２と、連結部材３３などから構成されている。モータ３１は、ケーシング２の天板部２３に固定されている。送りネジ３２は、モータ３１のＹ方向に延出する回転軸に連結される。連結部材３３は、送りネジ３２の周方向の回転によって、Ｙ方向に往復動する。このとき、連結部材３３は、フレーム１４の基部１４１に連結されている。そのため、連結部材３３のＹ方向の往復動にともなって、フレーム１４の基部１４１は、Ｙ方向に往復動する。
【００４０】
つまり、駆動部３のモータ３１の回転により、送りネジ３２が周方向に回転する。これにより、駆動部３の連結部材３３が、送りネジ３２に沿ってＹ方向に移動する。その結果、連結部材３３に連結されたフレーム１４を含む発光部１が、Ｙ方向に移動する。なお、モータ３１や送りネジ３２は、天板部２３の窓穴部２３ａに収納された状態で配置し、天板部２３から突出しない状態で配置することが好ましい。これにより、ストロボ装置の小型化を図ることができる。
【００４１】
以上のように、本実施の形態のストロボ装置が、構成されている。
【００４２】
以下に、本実施の形態のストロボ装置の使用態様について説明する。
【００４３】
まず、発光部１が、図１、図２、図４および図５に示すように、ケーシング２の背面側に位置している場合について、説明する。
【００４４】
この状態の場合、ホルダー１２の従動部１２３は、ケーシング２のカム面２２１の凹部２２１ａ内の位置にある。このとき、ホルダー１２は、トーションバネなどの付勢部材１９によって、仰向きの姿勢になっている。つまり、ホルダー１２の押圧部１２５は、一対の側方反射板１１２の当接部１１２ｃから離れた位置にある。
【００４５】
そのため、反射部１１を構成する一対の側方反射板１１２は、図４に示すように、弾性部材１８によって開いた状態、すなわち、Ｘ方向において開口角度が大きい状態で維持されている。これにより、発光部１の光源１０から発せられた閃光は、望遠撮影に適した狭い照射角で照射対象を照明することができる。
【００４６】
つぎに、発光部１が、図６から図８に示すように、ケーシング２の閃光透過部２５側に位置している場合について、説明する。
【００４７】
具体的には、駆動部３のモータ３１を作動させることにより、発光部１は、ケーシング２の正面側、すなわちケーシング２の閃光透過部２５の方へ移動する。
【００４８】
そして、発光部１の移動途中において、ホルダー１２の従動部１２３は、ケーシング２のカム面２２１の凸部２２１ｂに接触し、ホルダー１２の従動部１２３側の移動が止められる。
【００４９】
さらに、発光部１がケーシング２の閃光透過部２５まで移動すると、ホルダー１２は、付勢部材１９の付勢力に抗し、ヒンジ用軸部材１５を軸にして俯きの姿勢となるように回動する。そして、ホルダー１２の押圧部１２５は、一対の側方反射板１１２の当接部１１２ｃに当接し、当接部１１２ｃを正面側に押す。これにより、反射部１１の一対の側方反射板１１２は、図７に示すように、弾性部材１８に抗して、閉じた状態、すなわち、Ｘ方向において、開口角度が狭くなる。その結果、発光部１の光源１０から発せられた閃光は、広角撮影に適した広い照射角で照射対象を照明することができる。
【００５０】
つぎに、駆動部３のモータ３１を逆転させて、発光部１をケーシング２の背面側の位置に戻す。この場合、上記で説明したように、ホルダー１２の従動部１２３は、ケーシング２のカム面２２１の凹部２２１ａ内の位置に戻る。これにより、ホルダー１２は、付勢部材１９の付勢力により、仰向きの姿勢に戻る。そして、ホルダー１２の押圧部１２５は、一対の側方反射板１１２の当接部１１２ｃから離れ、当接が解除される。これにより、反射部１１の一対の側方反射板１１２は、弾性部材１８によって開いた状態に戻る。なお、上記では、発光部１が、完全にケーシング２の背面側と正面側に移動した例で説明したが、これに限られない。例えば、発光部１を、ケーシング２の背面側と正面側との中間の位置で停止させてもよい。これにより、望遠撮影から広角撮影において、任意の照射角で、照射対象を照明して撮影することができる。
【００５１】
以上のように、本実施の形態のストロボ装置によれば、発光部１をケーシング２内でＹ方向に移動させることにより、一対の側方反射板１１２の開口角度を、容易に変更することができる。
【００５２】
また、本実施の形態のストロボ装置によれば、発光部１をケーシング２内で移動させるだけで、一対の側方反射板１１２の開口角度を変更することができる。つまり、ケーシング２内で移動させて発光部１のホルダー１２の姿勢を転換させることにより、一対の側方反射板１１２の開口角度を変更できる。その結果、ストロボ装置を大型化せずに、小型を維持できる。
【００５３】
なお、本発明は、上記実施の形態に限定することなく、種々変更することができる。
【００５４】
例えば、上記実施の形態では、一対の側方反射板に当接部を備えた例で説明したが、これに限られない。つまり、一対の側方反射板に当接部を設けず、反射部がホルダーで直接、押される構成としてもよい。これにより、構造を簡略にできる。
【００５５】
また、上記実施の形態では、一対の側方反射板が、反射部の反射傘から照射対象に向けられた光軸を対称軸として揺動する例で説明したが、これに限られない。例えば、一対の側方反射板が、非対称に揺動する構成としてもよい。これにより、より正確に照射角の変更を実施できる。
【００５６】
また、上記実施の形態では、両端部が開口したタイプの反射傘を用いた例で説明したが、これに限られない。例えば、反射傘の両端部を閉塞する反射部を有する反射傘の構成でもよい。この場合、一対の側方反射板は、反射傘の両端部の反射部よりも、照射対象側である前側に配置する。これにより、光の利用効率を向上させることができる。
【００５７】
また、上記実施の形態では、ケーシングに設けたカム面と、ホルダーに設けた従動部とによって、ホルダーが傾動する構成を例に説明したが、これに限られない。例えば、カム面や従動部を備えることなく、ホルダーの移動により、ホルダーを傾動する構成としてもよい。これにより、部品点数を削減した上で同様の効果が得られる。
【００５８】
また、上記実施の形態では、ホルダーの押圧部と一対の側方反射板の当接部との当接により、一対の側方反射板の開口角度を変更する例で説明したが、これに限られない。例えば、ケーシングの底板部のＸ方向の左右に、ケーシングの閃光透過部側に向かって、少なくとも内側に広がる壁面を備える凹部形状の一対のカム面を設ける。さらに、一対のカム面の壁面に沿って移動する一対の従動部を設ける。そして、一対のカム面の壁面に沿って移動する一対の従動部により、一対の側方反射板の開口角度を変更する構成としてもよい。これにより、簡易な構成で照射角変更が可能となる。
【００５９】
以下に、上記実施の形態の別の例に係るストロボ装置の構成について、図９Ａおよび図９Ｂを用いて、具体的に説明する。
【００６０】
図９Ａは、本発明の実施の形態に係るストロボ装置の別の例であって、カム面の壁面に沿って、従動部が望遠撮影状態に移動した状態を模式的に説明する概略説明図である。図９Ｂは、同ストロボ装置の別の例であって、カム面の壁面に沿って、従動部が広角撮影状態に移動した状態を模式的に説明する概略説明図である。
【００６１】
なお、別の例に係るストロボ装置の一対のカム面３１０および一対の従動部３００においては、上記実施の形態のカム面２２１および従動部１２３と区別するために、以下では第２のカム面３１０および第２の従動部３００と記して説明する。
【００６２】
図９Ａおよび図９Ｂに示すように、本実施の形態の別の例のストロボ装置は、ケーシング２の底板部２２に設けた第２のカム面３１０と、ホルダー１２に設けられた第２の従動部３００と、一対の側方反射板１１２に設けられた回動支持部３２０を備えている。それ以外の構成は、上記実施の形態と同様であるので、説明を省略する。
【００６３】
第２のカム面３１０は、ケーシング２の底板部２２の中心線に対して、Ｘ方向の左右に設けられ、壁面３１０ａを有する凹部形状で形成されている。第２のカム面３１０の少なくとも内側の壁面３１０ａは、ケーシング２の背面部２４から閃光透過部２５に向かって、内側に広がるように、例えば湾曲状または直線状に設けられている。第２の従動部３００は、ホルダー１２のＺ方向の下方に突出して、ホルダー１２に設けられている。回動支持部３２０は、第２の従動部３００が挿入される回動穴３２０ａを有し、一対の側方反射板１１２に設けられ、フレーム１４の支軸部１４３に軸支されている。そして、回動支持部３２０は、回動穴３２０ａに挿入された第２の従動部３００が、第２のカム面３１０の壁面３１０ａに沿って移動する移動にともなって、一対の側方反射板１１２の開口角度を変更する。このとき、一対の側方反射板１１２は、図示しないバネなどの付勢部材により、第２のカム面３１０の壁面３１０ａに、常に付勢されている。これにより、第２の従動部３００は、第２のカム面３１０の壁面３１０ａに沿って移動する。それ以外の構成は、上記実施の形態と同様であるので、説明を省略する。
【００６４】
つまり、ホルダー１２の第２の従動部３００は、第２のカム面３１０の壁面３１０ａに沿って、駆動部３のモータ３１の駆動により、図９Ａに示すケーシング２の背面部２４側から、図９Ｂに示す閃光透過部２５に移動する。これにより、図９Ａに示す望遠撮影状態の一対の側方反射板１１２の開口角度から、図９Ｂに示す広角撮影状態の一対の側方反射板１１２の開口角度に変更することができる。
【００６５】
上述したように、本実施の形態の別の例のストロボ装置によれば、発光部１をケーシング２内でＹ方向に移動させることにより、一対の側方反射板１１２の開口角度を、容易に変更することができる。
【００６６】
つまり、ケーシング２内で、第２のカム面３１０の壁面３１０ａに沿って、発光部１を移動させることにより、一対の側方反射板１１２の開口角度を変更できる。その結果、ストロボ装置を大型化することなく、小型に維持できる。
【００６７】
以上で説明したように、本発明のストロボ装置は、閃光を発する光源と、光源から発せられた閃光を照射対象に向けて反射させる反射部とを備える発光部と、光源で発した閃光を透過させる閃光透過部を有し、閃光透過部に光源を向き合わせるように発光部を収納するケーシングと、発光部をケーシング内で閃光透過部に接離する方向に往復動させる駆動部とを備える。発光部の反射部は、閃光透過部に向けられた反射傘と、照射対象に向ける閃光の照射角を変更できるように反射傘に隣り合って揺動可能に配置された一対の側方反射板とを備える。そして、一対の側方反射板は、発光部の往復動に連動して揺動することにより、開口角度を変更可能な構成としてもよい。
【００６８】
この構成によれば、光源から発せられた閃光は、反射部、すなわち、反射傘と一対の側方反射板とで反射する。そして、反射した閃光は、ケーシングの閃光透過部を透過して照射対象を照射する。このとき、反射部の一対の側方反射板は、ケーシング内で、発光部の往復動に連動して揺動する、これにより、一対の側方反射板の開口角度が変更される。その結果、照射対象に向けて反射する閃光の照射角を変更することができる。
【００６９】
具体的には、発光部がケーシングの背面側（閃光透過部の反対側）に位置している場合、発光部の移動に連動して一対の側方反射板が揺動し、一対の側方反射板の開口角度が広くなる。これにより、光源から発した閃光は、望遠撮影に適した狭い照射角となった一対の側方反射板で反射する。一方、発光部がケーシングの閃光透過部側に位置している場合、発光部の移動に連動して一対の側方反射板が揺動し、一対の側方反射板の開口角度が狭くなる。これにより、光源から発した閃光は、広角撮影に適した狭い照射角となった一対の側方反射板で反射する。
【００７０】
その結果、光学設計条件を限定することなく、小型化が図れるとともに、光源から発せられた閃光の照射角を可変にできるストロボ装置を実現できる。
【００７１】
また、本発明のストロボ装置は、発光部が、光源を保持するホルダーと、反射傘を保持するとともに一対の側方反射板を軸支するフレームと、をさらに備える。そして、ホルダーとフレームとは、個別に移動可能に設けられ、反射傘から照射対象に向けられた光軸を対称軸にして、一対の側方反射板がホルダーの移動によって揺動する構成としてもよい。
【００７２】
この構成によれば、発光部に備えられたホルダーとフレームとが、個別に移動する。これにより、フレームが移動しながら、ホルダーがフレームに軸支された一対の側方反射板を押すことができる。その結果、一対の側方反射板の開口角度を、容易に変更することができる。
【００７３】
また、本発明のストロボ装置は、ホルダーが、一対の側方反射板に向けて突出した押圧部を備え、一対の側方反射板は、閃光を反射する反射部材と、反射部材に突設されたホルダーの押圧部に押される当接部とを備えてもよい。
【００７４】
この構成によれば、ホルダーの押圧部が、一対の側方反射板の当接部を押す。これにより、一対の側方反射板の開口角度を変更することができる。また、ホルダーの押圧部で、一対の側方反射板の反射部材を押さない構成とできる、これにより、一対の側方反射板の反射部材が凹むなどの不具合を未然に防止できる。その結果、常に、発光部から均一な閃光を発生して、照射対象を照明できるストロボ装置を実現できる。
【００７５】
また、本発明のストロボ装置は、ケーシングが、凹部および凸部を有するカム面を備え、ホルダーは、カム面に接触する従動部を備える。そして、ホルダーの従動部がケーシングのカム面に沿って移動することにより、ホルダーが傾動する構成としてもよい。
【００７６】
この構成によれば、ケーシングにカム面が備えられ、ホルダーに従動部が備えられ、従動部がケーシングに備えられたカム面に接触する。そして、発光部が閃光の光軸方向に往復動する際に、従動部がカム面の凹部および凸部に沿って移動することにより、ホルダーは仰向き姿勢から俯き姿勢に傾動する。このとき、仰向き姿勢に傾動したホルダーは、一対の側方反射板を押さないので、一対の側方反射板の開口角度は望遠撮影の状態に維持できる。一方、俯き姿勢に傾動したホルダーは、一対の側方反射板を押して、一対の側方反射板の開口角度を狭めて広角撮影の状態にできる。その結果、ホルダーの傾動により、一対の側方反射板の開口角度は望遠撮影から広角撮影に容易に変更できる。
【００７７】
また、本発明のストロボ装置は、発光部が、ホルダーとフレームとの間に介在し、ホルダーを仰向き姿勢とする付勢部材を、さらに備える。そして、ホルダーは、従動部がケーシングのカム面に沿って移動することにより、俯き姿勢になる構成としてもよい。
【００７８】
この構成によれば、ホルダーは、付勢部材によって、定常状態において、仰向き姿勢を維持することができる。そして、ホルダーを移動させることにより、付勢部材の付勢力に抗して、発光部は俯き姿勢に転換して、一対の側方反射板を押す状態となる。これにより、一対の側方反射板の開口角度は望遠撮影から広角撮影に容易に変更できる。
【００７９】
また、本発明のストロボ装置は、発光部が、一対の側方反射板とフレームとの間に介在し、一対の側方反射板の開口角度を広くする弾性部材を、さらに備える。そして、一対の側方反射板の開口角度は、発光部が移動することにより、狭くなるように構成としてもよい。
【００８０】
この構成によれば、一対の側方反射板とフレームとの間に介在した弾性部材により、一対の側方反射板の開口角度を、定常状態において、広く開口した姿勢で維持できる。そして、ホルダーを移動させることにより、一対の側方反射板の開口角度を狭くすることができる。これにより、一対の側方反射板の開口角度を望遠撮影から広角撮影に容易に変更できる。
【００８１】
また、本発明のストロボ装置によれば、ケーシングは、閃光透過部に向かって内側に広がる壁面を有するカム面を備え、発光部は、光源を保持するホルダーと、回動支持部を有する一対の側方反射板を軸支するフレームを備える。ホルダーは、回動支持部を回動自在に連結する従動部を、さらに備える。そして、ホルダーの従動部が、ケーシングのカム面の壁面に沿って移動することにより、回動支持部を介して一対の側方反射板が揺動する構成としてもよい。
【００８２】
この構成によれば、一対の側方反射板は、ケーシング内で、発光部の往復動に連動して揺動する、これにより、一対の側方反射板の開口角度が変更される。その結果、照射対象に向けて反射する閃光の照射角を変更することができる。
【産業上の利用可能性】
【００８３】
本発明は、光学設計の条件を制約することなく小型化が要望される、写真撮影に際して照射対象に閃光を照射するカメラの付属品、カメラに搭載するユニットあるいはストロボスコープなどのストロボ装置の技術分野に適用できる。
【符号の説明】
【００８４】
１    発光部
２    ケーシング
３    駆動部
１０    光源
１１    反射部
１２    ホルダー
１４    フレーム
１５    ヒンジ用軸部材
１６    カバー
１７    ネジ部材
１８    弾性部材
１９    付勢部材
２１    側板部
２２    底板部
２３    天板部
２３ａ    窓穴部
２４    背面部
２５    閃光透過部
２６    ガイド軸部材
３１    モータ
３２    送りネジ
３３    連結部材
１１１    反射傘
１１２    側方反射板
１１２ａ    反射部材
１１２ｂ    反射板保持部
１１２ｃ    当接部
１２１    本体部
１２２    光源保持部
１２２ａ    貫通穴
１２３，３００    従動部
１２４    ホルダー軸受部
１２４ａ    ヒンジ用軸孔
１２５    押圧部
１４１    基部
１４２    枠体部
１４３    支軸部
１４４    ガイド部
１４４ａ    ガイド部軸孔
１４５    フレーム軸受部
２２１，３１０    カム面
２２１ａ    凹部
２２１ｂ    凸部
３００    第２の従動部
３１０    第２のカム面
３１０ａ    壁面
３２０    回動支持部
３２０ａ    回動穴
【要約】
本ストロボ装置は、発光部（１）とケーシングと駆動部（３）とを備える。発光部（１）は、閃光を発する光源（１０）と、光源（１０）から発せられた閃光を被写体などの照射対象の方へ反射させる反射傘（１１１）と一対の側方反射板（１１２）を有する反射部（１１）と、光源（１０）を保持するホルダー（１２）と、一対の側方反射板（１１２）を軸支するフレーム（１４）とを備える。発光部（１）は、駆動部（３）によってケーシング内で往復動する。一対の側方反射板（１１２）は、発光部（１）の往復動に連動して揺動することにより、開口角度を変更する。これにより、光学設計条件を限定せずに小型のストロボ装置を実現できる。【図１】
0005655997.tif 000002
【図２】
0005655997.tif 000003
【図３】
0005655997.tif 000004
【図４】
0005655997.tif 000005
【図５】
0005655997.tif 000006
【図６】
0005655997.tif 000007
【図７】
0005655997.tif 000008
【図８】
0005655997.tif 000009
【図９Ａ】
0005655997.tif 000010
【図９Ｂ】
0005655997.tif 000011